(57)【要約】【課題】車両のフロントガラス又はサイドガラスの隅々まで完全に覆い、コンパクトに折りたためる車両用サンシェードを提供する。【解決手段】車両用サンシェードは、車両のフロントガラスの内側に露出している部位の形状と同じ形状か又は若干巾を膨出させた形状のサンシェード基布と、フロントガラスの内側の左右に位置させる弾性線状部材で形成された一対の環状バネ材とから成り、一対の環状バネ材は左右に並置すると共にサンシェード基布の外周縁部より内側に若干巾縁部を有して固着させた。【選択図】図１
2007160952.tif 000002
【特許請求の範囲】
【請求項１】
車両のフロントガラスの内側に露出している部位の形状と同じ形状か又は若干巾を膨出させた形状のサンシェード基布と、前記フロントガラスの内側の左右に位置させる弾性線状部材で形成された一対の環状バネ材とから成り、前記一対の環状バネ材は左右に並置すると共に前記サンシェード基布の外周縁部より内側に若干巾縁部を有して固着させたことを特徴とする車両用サンシェード。
【請求項２】
車両の左.右のサイドガラスの夫々の内側に露出している部位の形状と同じ形状か又は若干巾を膨出させた形状の左右のサンシェード基布と、前記夫々のサイドガラスの内側に位置させる弾性線状部材で形成された夫々の環状バネ材とから成り、前記夫々の環状バネ材は前記左右のサンシェード基布の外周縁部より内側に若干巾縁部を有して夫々固着させたことを特徴とする車両用サンシェード。
【発明の詳細な説明】
【技術分野】
【０００１】
本発明は、車両のフロントガラス及び運転席又は助手席の夫々のサイドに有るサイドガラスに張設するための車両用サンシェードに関するものであり、更に詳細には、特に、夏期において直射日光から車両の内部を保護するため、又は、外からの視線或いは明るさを遮蔽するために、フロントガラス及び左右のサイドガラスの内側に張設する車両用サンシェードに関するものである。
【背景技術】
【０００２】
従来、この種の車両用サンシェードは各種開発され使用されているが、その殆どは単に縦方向にアコーデオン式に折りたためる板状のものを車両のフロントガラスの内側に載置しているものであり、収納に嵩張ることからサンシェードに弾性線状部材を固着して、収納時に弾性線状部材を８の字に捻るようにして、重ね合わせコンパクトに折りたためるものが開発されている。(特許文献参照)
【特許文献１】特開平６−５５９３４号公報
【特許文献２】特開平１０−１６５５１号公報
【特許文献３】実開平５−２６５４９号公報
【特許文献４】実開平５−３２６９５号公報
【発明の開示】
【発明が解決しようとする課題】
【０００３】
然し乍ら、車両用サンシェードは直射日光から保護するのみでなく、車両の内部で仮眠を取ったりする場合にも外部からの視線や明るさを遮るためにも使用されているが、従来の車両用サンシェードは何れもフロントガラス又はサイドガラスの全面を覆うものは無く、上下左右の端辺部には隙間が開くものが殆どであリ、特に、フロントガラスやサイドガラスの角部は覆うことができないのが実情である。
【課題を解決するための手段】
【０００４】
本発明は、前述の課題に鑑み、鋭意研鑽の結果、請求項１に記載の車両用サンシェードは、車両のフロントガラスの内側に露出している部位の形状と同じ形状か又は若干巾を膨出させた杉状のサンシェード基布と、フロントガラスの内側の左右に位置させる弾性線状部材で形成された一対の環状バネ材とから成り、一対の環状バネ材は左右に並置すると共にサンシェード基布の外周縁部よリ内側に若干巾縁部を有して固着させたものである。
【０００５】
更に、請求項２に記載の車両用サンシェードは、車両の左右のサイドガラスの夫々の内側に露出している部位の形状と同じ形状か又は若干巾を膨出させた形状の左右のサンシェード基布と、夫々のサイドガラスの内側に位置させる弾性線状部材で形成された夫々の環状バネ材とから成り、夫々の環状バネ材は前記左右のサンシェード基布の外周縁部よリ内側に若干巾縁部を有して夫々固着させたものである。
【０００６】
本発明の車両用サンシェードはフロントガラス又はサイドガラスの内側に露出している部位の形状と同じ形状か又は若干巾を膨出させた形状のサンシェード基布を形成し、該サンシェード基布の外周縁部より内側に若干巾縁部を有して弾性線状都材で形成された環状バネ材を固着させているものであリ、フロントガラス又はサイドガラスの角部を含む全面を覆うことを可能とすると共に、収納時にはコンパクトに折りたためるものである。
【０００７】
従って、本発明の目的は、車両のフロントガラス又はサイドガラスの隅々まで完全に覆うことを可能とすると共に、コンパクトに折りたためる車両用サンシェードを提供するものである。
【発明の効果】
【０００８】
本発明の車両用サンシェードは、前述の構成により、フロントガラス又はサイドガラスの内側に露出している部位の形状と同じ形状か又は若干巾を膨出させた形状のサンシェード基布を形成し、該サンシェード基布の外周縁都より内側に若干巾縁部を有して弾性線状部材で形成された環状バネ材を固着させているもので、フロントガラス又はサイドガラスの角部を含む全面を覆うことを可能とすると共に、収納時にはコンパクトに折りたためるものであり、実用性の高い発明である。
【発明を実施するための最良の形態】
【０００９】
以下、本発明の車両用サンシェードの実施の形態の図面によって具体的に説明する。
【００１０】
図１は本発明の車両用サンシェードの実施の形態の装着状態を説明するための斜視図であり、図２は本発明の車両用サンシェードの実施の形態の装着状態のサイドガラスを説明するための説明図であり、図３は本発明の車両用サンシェードの実施の形態の要部の断面図であり、図４は本発明の車両用サンシェードの実施の形態の収納状態を説明するための説明図である。
【００１１】
本発明は、車両のフロントガラス及び座席の左右のサイドガラスに張設するための車両用サンシェードに関するものであり、更に詳細には、特に、夏期において直射日光から車両の内部を保護するため、又は、車両の内部を外からの視線を塑蔽するために、フロントガラス及び左右のサイドガラスの内側に張設する車両用サンシェードに関するものであり、請求項１に記載の車両用サンシェードは、車両のフロントガラスの内側に露出している部位の形状と同じ形状か又は若干巾を膨出させた形状のサンシェード基布１と、前記フロントガラスの内側の左右に位置させる弾性線状部材で形成された一対の環状バネ材２とから成り、前記一対の環状バネ材２は左右に並置すると共に前記サンシェード基布１の外周縁部より内側に若干巾縁部１ａを有して固着させたものである。
【００１２】
更に、請求項２に記載の車両用サンシェードは、車両の左右のサイドガラスの夫々の内側に露出している部位の形状と同じ形状か又は若干巾を膨出させた形状の左右のサンシェード基布１と、前記夫々のサイドガラスの内側に位置させる弾性線状部材で形成された夫々の環状バネ材２とから成り、前記夫々の環状バネ材２は前記左右のサンシェード基布１の外周縁部より内側に若干巾縁部１ａを有して夫々固着させたものである。
【００１３】
即ち、本発明の車両用サンシェードのサンシェード基布１は、可撓性を有し且つ適宜な強度を有する単層又は複層の不透明部材の合成樹脂等で形成されるもので、柄模様、絵、会社名、商品名等を施しても、直射日光を反射させるように表側にアルミ等で被覆したものでも構わないものである。
【００１４】
そして、図１又は図２に図示する如く、フロントガラスの内側に露出している部位の形状、又は、左右のサイドガラスの内側に露出している部位の形状と同じか、外周縁辺の全周の若干巾を膨出させた形状に形成するものである。
【００１５】
次に、環状バネ材２は容易に湾曲することが可能な弾性線状部材で、金属製のスチールワイヤ、又は、弾性を有する合成樹脂を線状に形成したもので、エンドレスの環状に形成しているものである。
【００１６】
次いで、図１に図示するフロントガラス用の車両用サンシェードには右と左に並置した一対の環状バネ材２を用いるものであり、左右のサイドガラス用の車両用サンシェードには夫々一つ宛の環状バネ材２を用いるものである。
【００１７】
更に、環状バネ材２はサンシェード基布１の外周縁部より内側に若干巾縁部１ａを有して縫着又は接着等の手段によって固着させているもので、つまり、環状バネ材２はフロントガラス又は夫々のサイドガラスの内側に露出している部位の外周から内側に位置させているものである。
【００１８】
更には、車両のフロントガラスに装着するときは、サンシェード基布１の中央の上部に車両に装備されているバックミラーの取付杆を挿通できる切り込みを入れて、切リ込みの周りに面ファスナーを取着して装着しても、車両に装備されているサンバイザーを下ろして上辺部を挟持させても、サンシェード基布１の表両側に吸盤を付設しても構わないものである。
【００１９】
そして、左右のサイドガラスへの装着は夫々のサンシェード基布１の表側に吸盤を付設するか開閉するサイドガラスの上辺に止め具を設ける等の手段によって行うものである。
【００２０】
そして、収納するときは、図４に図示す如く、車両用サンシェードの両端を持って中央辺を８の字に捻るようにすると、収納袋にコンパクトに収納できるものである。また、図示していないが、２つ折りにした車両用サンシェードの対角線方向の両端を持ってひねりながら３つの円を形成するようにし、さらにそれらを中央に寄せて一つの円に重ねることによって収納袋にコンパクトに収納することも可能である。
【図面の簡単な説明】
【００２１】
【図１】図１は本発明の車両用サンシェードの実施の形態の装着状態を説明するための斜視図である。
【図２】図２は本発明の車両用サンシェードの実施の形態の装着状態のサイドガラスを説明するための説明図である。
【図３】図３は本発明の車両用サンシェードの実施の形態の要部の断面図である。
【図４】図４は本発明の車両用サンシェードの実施の形態の収納状態を説明するための説明図である。
【符号の説明】
【００２２】
１      サンシェード基布
１ａ    若干巾縁部
２      環状バネ材
【図１】
2007160952.tif 000003
【図２】
2007160952.tif 000004
【図３】
2007160952.tif 000005
【図４】
2007160952.tif 000006